(57)【要約】【課題】  ディスプレイの変更に対して低コストで効率的に対応できるようにする。【解決手段】  表示制御情報１８１は、表示される映像の画面を定義する「画面デザイン」の情報、「画面デザイン」のアスペクト比に対応する「基準アスペクト比」の情報、表示部１０２において「基準アスペクト比」の映像が表示できない場合の補正方法を定義する「補正ルール」の情報を含んでいる。表示部固有情報１８２は、表示部１０２の「サイズ」の情報、表示部１０２の「アスペクト比」の情報、表示部１０２の「総画素数」、表示部１０２の「オーバースキャン率」などの情報を含んでいる。表示制御情報１８１と表示部固有情報１８２に基づいて、マイコンによる処理１８３により適宜補正が行われ、映像信号処理１８４が行われる。【選択図】      図２
2007086614.tif 000002
【特許請求の範囲】
【請求項１】
画像を表示する表示部と、入力される信号に基づく前記画像の表示の制御を行う表示制御部とから成る画像表示装置であって、
前記表示制御部は、
前記表示部の特性を表す固有情報を取得する固有情報取得手段と、
前記表示部に表示される画面に関する表示制御情報を取得する制御情報取得手段と、
前記固有情報および前記表示制御情報に基づいて、前記画像の補正が必要か否かを判定する補正判定手段と、
前記補正判定部により、前記画像の補正が必要と判定された場合、前記画像の補正を実行する補正実行手段と
を備える画像表示装置。
【請求項２】
前記固有情報には、前記表示部のアスペクト比および画素数の情報が含まれ、
前記表示制御情報には、表示の基準となる画面のレイアウトを表す画面デザインに関する情報、前記表示の基準となる画面のアスペクト比の情報が含まれる
請求項１に記載の画像表示装置。
【請求項３】
前記補正判定手段は、前記固有情報に含まれる前記表示部のアスペクト比と、前記表示制御情報に含まれる前記表示の基準となる画面のアスペクト比とが異なる場合、前記画像の補正が必要と判定する
請求項２に記載の画像表示装置。
【請求項４】
前記表示制御情報には、前記画像を補正する場合の補正方法に関する情報である補正ルールの情報がさらに含まれ、
前記補正実行手段は、前記補正ルールに基づいて前記画像の補正を実行する
請求項２に記載の画像表示装置。
【請求項５】
前記補正実行手段は、前記補正ルールに基づいて前記画像を、垂直方向に伸張若しくは短縮するか、または、水平方向に伸張若しくは短縮することにより補正を実行する
請求項４に記載の画像表示装置。
【請求項６】
画像を表示する表示部と、入力される信号に基づく前記画像の表示の制御を行う表示制御部とから成る画像表示装置の画像表示方法であって、
前記表示制御部において、
前記表示部の特性を表す固有情報を取得し、
前記表示部に表示される画面に関する表示制御情報を取得し、
前記固有情報および前記表示制御情報に基づいて、前記画像の補正が必要か否かを判定し、
前記画像の補正が必要と判定された場合、前記画像の補正を実行する
ステップを含む画像表示方法。
【請求項７】
画像を表示する表示部と、入力される信号に基づく前記画像の表示の制御を行う表示制御部とから成る画像表示装置に画像表示処理を実行させるプログラムであって、
前記表示制御部において、
前記表示部の特性を表す固有情報の取得を制御し、
前記表示部に表示される画面に関する表示制御情報の取得を制御し、
前記固有情報および前記表示制御情報に基づいて、前記画像の補正が必要か否かの判定を制御し、
前記画像の補正が必要と判定された場合、前記画像の補正の実行を制御する
ステップを含むコンピュータが読み取り可能なプログラム。
【請求項８】
請求項７に記載のプログラムが記録されていることを特徴とする記録媒体。
【発明の詳細な説明】
【技術分野】
【０００１】
本発明は、画像表示装置および方法、プログラム並びに記録媒体に関し、特に、ディスプレイの変更に対して低コストで効率的に対応できるようにする画像表示装置および方法、プログラム並びに記録媒体に関する。
【背景技術】
【０００２】
近年、テレビジョン受像機は、多機能化、高性能化が進み、機器の構成も複雑化している。このため、テレビジョン受像機には、例えば、ディスプレイパネルなど画面が表示される表示部と、この表示部に対して出力する映像信号の生成を制御する表示制御部とを有するものも多い。このように、表示部と表示制御部を有する構成とすることにより、例えば、多様なサイズのディスプレイパネルからなる製品ラインナップの製造コストを低く抑えることが可能となる。
【０００３】
すなわち、LCD(Liquid Crystal display)の価格低下などに伴いディスプレイパネルのサイズの大型化などが頻繁に行われる場合であっても、テレビジョン受像機のメーカは、既に製品化されている小型のディスプレイパネルを有するテレビジョン受像機と共通の表示制御部を利用して装置を製造することが可能であり、ディスプレイパネルのサイズ変更に伴う工場の生産ラインの変更などを最小限に留めることができる。
【０００４】
このように、テレビジョン受像機を、表示部と表示制御部を有する構成とする場合、一般的には、表示制御部にディスプレイパネルを駆動するための処理を実行するソフトウェアが組み込まれ、表示制御部に接続される表示部が変更される都度、その表示部固有の情報（例えば、画面のサイズなど）を取得して、ディスプレイパネルに映像が表示されることが多い。
【０００５】
また、放送される映像信号のフォーマットに基づいて、画面のアスペクト比を自動的に補正する技術も提案されている（例えば、特許文献１参照）。
【０００６】
【特許文献１】特開２００３−３３３４５５号公報
【発明の開示】
【発明が解決しようとする課題】
【０００７】
しかしながら、従来のテレビジョン受像機は、ディスプレイパネルの固有の情報を予めメモリに記憶しておき、例えば、ディスプレイパネルの型番などをキーとして上述した固有の情報をメモリ内から検索して取得していた。このため、ディスプレイパネルの種類が増えるにつれて、必要となるメモリの容量が増加し、コスト増の原因となる可能性があった。
【０００８】
また、予めメモリに記憶される上述した固有の情報は、そのテレビジョン受像機の設計時点で想定されるディスプレイパネルの固有の情報のみであり、そのテレビジョン受像機の設計後、新たに追加されたディスプレイパネルのラインナップには対応できず、そのような場合、ディスプレイパネルを駆動するための処理を実行するソフトウェアの再設計が必要となる。
【０００９】
本発明はこのような状況に鑑みてなされたものであり、ディスプレイの変更に対して低コストで効率的に対応できるようにするものである。
【課題を解決するための手段】
【００１０】
本発明の一側面は、画像を表示する表示部と、入力される信号に基づく前記画像の表示の制御を行う表示制御部とから成る画像表示装置であって、前記表示制御部は、前記表示部の特性を表す固有情報を取得する固有情報取得手段と、前記表示部に表示される画面に関する表示制御情報を取得する制御情報取得手段と、前記固有情報および前記表示制御情報に基づいて、前記画像の補正が必要か否かを判定する補正判定手段と、前記補正判定部により、前記画像の補正が必要と判定された場合、前記画像の補正を実行する補正実行手段とを備える画像表示装置である。
【００１１】
前記固有情報には、前記表示部のアスペクト比および画素数の情報が含まれ、前記表示制御情報には、表示の基準となる画面のレイアウトを表す画面デザインに関する情報、前記表示の基準となる画面のアスペクト比の情報が含まれるようにすることができる。
【００１２】
前記補正判定手段は、前記固有情報に含まれる前記表示部のアスペクト比と、前記表示制御情報に含まれる前記表示の基準となる画面のアスペクト比とが異なる場合、前記画像の補正が必要と判定するようにすることができる。
【００１３】
前記表示制御情報には、前記画像を補正する場合の補正方法に関する情報である補正ルールの情報がさらに含まれ、前記補正実行手段は、前記補正ルールに基づいて前記画像の補正を実行するようにすることができる。
【００１４】
前記補正実行手段は、前記補正ルールに基づいて前記画像を、垂直方向に伸張若しくは短縮するか、または、水平方向に伸張若しくは短縮することにより補正を実行するようにすることができる。
【００１５】
本発明の一側面は、画像を表示する表示部と、入力される信号に基づく前記画像の表示の制御を行う表示制御部とから成る画像表示装置の画像表示方法であって、前記表示制御部において、前記表示部の特性を表す固有情報を取得し、前記表示部に表示される画面に関する表示制御情報を取得し、前記固有情報および前記表示制御情報に基づいて、前記画像の補正が必要か否かを判定し、前記画像の補正が必要と判定された場合、前記画像の補正を実行するステップを含む画像表示方法である。
【００１６】
本発明の一側面は、画像を表示する表示部と、入力される信号に基づく前記画像の表示の制御を行う表示制御部とから成る画像表示装置に画像表示処理を実行させるプログラムであって、前記表示制御部において、前記表示部の特性を表す固有情報の取得を制御し、前記表示部に表示される画面に関する表示制御情報の取得を制御し、前記固有情報および前記表示制御情報に基づいて、前記画像の補正が必要か否かの判定を制御し、前記画像の補正が必要と判定された場合、前記画像の補正の実行を制御するステップを含むコンピュータが読み取り可能なプログラムである。
【００１７】
本発明の一側面においては、表示制御部において、前記表示部の特性を表す固有情報が取得され、前記表示部に表示される画面に関する表示制御情報が取得され、前記固有情報および前記表示制御情報に基づいて、前記画像の補正が必要か否かが判定され、前記画像の補正が必要と判定された場合、前記画像の補正が実行される
【発明の効果】
【００１８】
本発明の一側面によれば、ディスプレイの変更に対して低コストで効率的に対応できる。
【発明を実施するための最良の形態】
【００１９】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の一側面の画像表示装置は、画像を表示する表示部（例えば、図１の表示部１０２）と、入力される信号に基づく前記画像の表示の制御を行う表示制御部（例えば、図１の表示制御部１０２）とから成る画像表示装置（例えば、図１の表示装置１００）であって、前記表示制御部は、前記表示部の特性を表す固有情報を取得する固有情報取得手段（例えば、図５のステップＳ１０１の処理を実行する図４の情報取得部３０１）と、前記表示部に表示される画面に関する表示制御情報を取得する制御情報取得手段（例えば、図５のステップＳ１０２の処理を実行する図４の情報取得部３０１）と、前記固有情報および前記表示制御情報に基づいて、前記画像の補正が必要か否かを判定する補正判定手段（例えば、図４の補正判定部３０２）と、前記補正判定部により、前記画像の補正が必要と判定された場合、前記画像の補正を実行する補正実行手段（例えば、図４の補正実行部３０３）とを備える。
【００２１】
本発明の一側面の画像表示方法は、画像を表示する表示部（例えば、図１の表示部１０２）と、入力される信号に基づく前記画像の表示の制御を行う表示制御部（例えば、図１の表示制御部１０２）とから成る画像表示装置（例えば、図１の表示装置１００）の画像表示方法であって、前記表示制御部において、前記表示部の特性を表す固有情報を取得し（例えば、図５のステップＳ１０１の処理）、前記表示部に表示される画面に関する表示制御情報を取得し（例えば、図５のステップＳ１０２の処理）、前記固有情報および前記表示制御情報に基づいて、前記画像の補正が必要か否かを判定し（例えば、図５のステップＳ１０３の処理）、前記画像の補正が必要と判定された場合、前記画像の補正を実行する（例えば、図５のステップＳ１０４の処理）ステップを含む画像表示方法である。
【００２２】
以下、図面を参照して、本発明の実施の形態について説明する。図１は、本発明を適用した表示装置１００の一実施形態に係る構成例を示す図である。この表示装置１００は、例えば、テレビジョン受像機として構成される。
【００２３】
図１において、表示装置１００は、表示制御部１０１と表示部１０２により構成されている。表示制御部１０１は、内部にマイコン１２１、および信号処理部１２２を有する構成とされ、表示部１０２に対して出力する映像信号の生成を制御する機能ブロックとされる。
【００２４】
表示部１０２は、例えば、LCD(Liquid Crystal display)、PDP（Plasma Display Panel）などのディスプレイパネルとして構成され、表示制御部から出力される映像信号に基づいて映像（画像）を表示させる機能ブロックとされる。
【００２５】
信号処理部１２２は、図示せぬチューナまたはビデオ入力端子などから入力される信号に基づいてコンポジットビデオ信号とオーディオ信号とを復調し、コンポジットビデオ信号を輝度信号、色信号に分離するとともに色信号を色差信号に変換し、表示部１０２を駆動するためのRGB信号を映像信号として生成して信号線１４２を介して表示部１０２に出力する。また、信号処理部１２２は、必要に応じて複数の画面の映像信号（多画面の映像信号）を生成し、信号線１４２を介して表示部１０２に出力する。
【００２６】
マイコン１２１は、CPU（Central Processing Unit）、RAM（Random Access Memory）などを有する構成とされ、表示装置１００全体を制御する小型のコンピュータである。マイコン１２１は、予め設定されたプログラムなどの所定のソフトウェアを実行し、各種の処理を行う。例えば、マイコン１２１は、信号線１４１を介して表示部１０２のサイズ、アスペクト比など表示部１０２固有の情報を取得して、表示部１０２に適した映像を表示することができるよう、信号処理部１２２を制御する処理を行う。
【００２７】
このように、表示装置１００は、表示制御部１０１と表示部１０２とから成ることで、例えば、LCD、PDPなどの価格低下などに伴い表示部１０２のサイズの大型化などが頻繁に行われる場合であっても、表示装置１００のメーカは、既に製品化されている小型のディスプレイパネルを有するテレビジョン受像機と共通の表示制御部１０１を利用して装置を製造することが可能であり、表示部１０２を構成するディスプレイパネルの種類の変更に伴う工場の生産ラインの変更などを最小限に留めることができるように構成されている。
【００２８】
図２は、表示装置１００における映像の表示処理の流れを表している。詳細については後述するが、マイコン１２１は、自身が有するメモリなどに予め記憶されている表示制御情報１８１と、表示部１０２が有するメモリなどに予め記憶されている表示部固有情報１８２を取得して、マイコンによる処理１８３を施して、信号処理部１２２による映像信号処理を行わせる。
【００２９】
表示制御情報１８１は、例えば、表示される映像がワイド画面かノーマル画面か、または１画面か２画面（多画面）かなどを定義する「画面デザイン」の情報を含んでいる。また、表示制御情報１８１は、それぞれの「画面デザイン」のアスペクト比に対応する「基準アスペクト比」の情報、表示部１０２において「基準アスペクト比」により定義されたアスペクト比の映像が表示できない場合の補正方法を定義する「補正ルール」などの情報を含んでいる。
【００３０】
ここで「補正ルール」は、元々の映像を、アスペクト比の異なる映像として出力するとき、映像の水平方向または垂直方向を伸張したり短縮したりする補正の方式を定義するものであり、例えば、映像を補正する場合、水平方向を補正せず、垂直方向を補正する「H優先」、垂直方向を補正せず、水平方向を補正する「V優先」、または水平方向および垂直方向のいずれも補正しない「補正不要」が定義される。
【００３１】
ここでは、表示制御情報１８１は、自身が有するメモリなどに予め記憶されていると説明したが、正確には、ユーザによる指定または図示せぬチューナまたはビデオ入力端子などから入力される信号により指定された個々の情報が、表示装置１００における映像の表示処理に先立って記憶されることになる。例えば、「画面デザイン」の情報は、ユーザが図示せぬリモコン、操作部などを操作して入力する指令に基づいて２画面であることが選択され、また、図示せぬチューナまたはビデオ入力端子などから入力される信号により個々の画面のアスペクト比が４：３であることが特定される。
【００３２】
あるいはまた、表示制御情報１８１は、後述する表示部固有情報１８２と、ユーザによる指定または図示せぬチューナまたはビデオ入力端子などから入力される信号により指定された個々の情報とにより、動的に設定されるようにすることも可能である。例えば、「画面デザイン」の情報は、ユーザが図示せぬリモコン、操作部などを操作して入力する指令、および図示せぬチューナまたはビデオ入力端子などから入力される信号に基づいて特定され、「補正ルール」は、表示部固有情報１８２と、「画面デザイン」の情報とに基づいて、予め定められた複数の補正ルールのうち、最適なものが選択されるようにしてもよい。
【００３３】
表示部固有情報１８２は、表示部１０２のサイズ（表示画面のサイズ）を表す「サイズ」の情報を含んでいる。また、表示部固有情報１８２は、表示部１０２のアスペクト比を表す「アスペクト比」の情報、表示部１０２の総画素数、表示部１０２のオーバースキャン率を表す「オーバースキャン率」などの情報を含んでいる。
【００３４】
図３は、表示部１０２の表示例を示す図である。同図においては、上述した表示制御情報１８１の「画面デザイン」が「２画面」、「左右等サイズ（アスペクト比は４：３）」、「基準アスペクト比」が「１６：９」、「補正ルール」が「H優先」である場合における表示部１０２で表示される映像の例が示されている。すなわち、この場合、表示装置１００は、元々のアスペクト比が４：３である映像信号を、画面の左右に等しいサイズの２画面で表示する。
【００３５】
このとき、表示制御部１０１のマイコン１２１は、映像が表示される領域であって、領域２１１と領域２１２において、基準となる座標を信号処理部１２２に供給する。例えば、領域２１１と領域２１２の右上端部の点Aと点Bが領域２１１と領域２１２において、基準となる座標として供給される。
【００３６】
ここで、基準点AとBとは、アスペクト比が１６：９である表示部１０２の画面において、アスペクト比が４：３の等しいサイズの２画面を左右に並べて表示する場合、最適となる位置がマイコン１２１により演算されて決定される。この例では、領域２１１と領域２１２の上下両側に等しい余白（表示部１０２の画面の端部までのスペース）をとり、領域２１１と領域２１２の左右に等しい余白をとるように領域２１１と領域２１２の基準点が演算されている。
【００３７】
すなわち、表示部１０２の垂直方向の画面の長さと１とすると、基準点Aまたは基準点Bの垂直方向の座標位置は、画面の上端から0.200下がった位置とされる。また、表示部１０２の水平方向の画面の長さと１とすると、基準点Aの水平方向の座標位置は、画面の左端から0.032右へ移動した位置となり、基準点Bの水平方向の座標位置は、領域２１１（水平方向の長さ：0.452）の右方向の端部の位置であって、画面の左端から0.484（=0.032+0.452）右へ移動した位置から、さらに0.032右へ移動した位置とされる。このようにして特定された座標位置は、例えば、表示部固有情報１８２の「総画素数」、「アスペクト比」の情報に基づいて特定される画素位置と対応付けられて信号処理部１２２に供給される。
【００３８】
そして信号処理部１２２が、マイコン１２１から供給される基準点AとBの情報に基づいて、領域１２１および領域１２２を特定し、領域１２１および領域１２２に映像を表示させるように映像信号を生成する。
【００３９】
このように領域２１１と領域２１２を表示すれば、領域２１１および領域２１２と画面の上下端とに、それぞれ長さ0.200の等しい余白があり、領域２１１と画面の左端、領域２１２と画面の右端、および領域２１１と２１２との間に、それぞれ長さ0.032の等しい余白をもって映像が表示されることになり、ユーザにとって違和感のない美しい映像を提供することができる。
【００４０】
なお、図３の例では、アスペクト比が１６：９である表示部１０２の画面において、アスペクト比が４：３の等しいサイズの２画面を左右に並べて表示する場合について説明したが、仮に、表示部１０２のアスペクト比が４：３である場合、図３に示されるレイアウトで映像を表示することはできない。そこで、表示制御部１０１は、図３に示されるレイアウトの映像を、アスペクト比４：３の画面に表示できるように補正する。
【００４１】
例えば、アスペクト比１６：９の映像の信号を補正せずに、アスペクト比４：３の表示部１０２に出力すると、表示部１０２において映像が垂直方向に伸張されてしまう。ユーザに違和感なく視聴させるためには、図３に示されるレイアウトの映像を予め垂直方向に短縮しておく必要がある。このとき、マイコン１２１は、補正ルール「H優先」に対応して、図示せぬチューナまたはビデオ入力端子などから入力される信号に対して水平方向の補正を行わず、垂直方向のみ補正することにより、図３に示されるレイアウトの映像を垂直方向に短縮させる処理を行う（図３のマイコンによる処理１８３）。
【００４２】
このようにして補正された映像が、アスペクト比が４：３である表示部１０２に表示される（図３の映像信号処理１８４に対応）ようにすることができる。補正された映像においても、領域２１１と領域２１２の表示位置は、図３に示される場合と同様に、上下両側に等しい余白（表示部１０２の画面の端部までのスペース）をとり、左右に等しい余白がとられることになる。
【００４３】
すなわち、表示装置１００においては表示制御部１０１に、表示部１０２の種類に応じた補正方式などを予めメモリに記憶しておくなどする必要はなく、表示制御部１０１に接続された表示部１０２の固有の情報である表示部固有情報１０２に基づいて、映像の補正が自動的に行われるようにすることができる。
【００４４】
例えば、アスペクト比が４：３である表示部など「基準アスペクト比」とは異なるアスペクト比を有する表示部にそれぞれ対応する「画面デザイン」の情報を別途記憶させるようにすると、表示部１０２を構成するディスプレイパネルの種類が増えるにつれて、必要となるメモリの容量が増加してしまい、また、表示装置１００の設計後、新たに追加されたディスプレイパネルのラインナップに対応するためには、表示制御部１０１を変更する必要が生じてしまう。
【００４５】
これに対して、本発明によれば、表示部１０２を構成するディスプレイパネルの種類が増えても、表示装置１００の設計後、ディスプレイパネルのラインナップが新たに追加されても、表示制御部１０１を変更することなく対応することが可能となる。その結果、ディスプレイの変更に対して低コストで効率的に対応できるようにすることができる。
【００４６】
図４は、マイコン１２１で実行されるソフトウェアの機能的構成例を示すブロック図である。
【００４７】
情報取得部３０１は、上述した表示制御情報１８１および表示部固有情報１８２の取得を制御する。また、情報取得部３０１は、必要に応じて表示制御情報１８１の中の「補正ルール」の情報について、表示部固有情報１８２と、「画面デザイン」の情報の情報とに基づいて、予め定められた複数の補正ルールのうち、最適なものを選択するようにしてもよい。
【００４８】
補正判定部３０２は、表示制御情報１８１および表示部固有情報１８２に基づいて、映像の補正が必要か否かを判定する。
【００４９】
補正実行部３０３は、補正判定部３０２により映像の補正が必要と判定された場合、表示制御情報１８１の「補正ルール」に対応する補正を行うよう、信号処理部１２２を制御する。
【００５０】
次に図５のフローチャートを参照して、表示装置１００における表示制御処理について説明する。この処理は、例えば、表示装置１００の電源が投入され、表示部１０２に所定の映像を表示するとき実行される。
【００５１】
ステップS１０１において、情報取得部３０１は、信号線１４１を介して表示部固有情報を取得する。これにより、例えば、図２を参照して上述したような表示部固有情報１８２が取得される。
【００５２】
ステップS１０２において、情報取得部３０１は、表示制御情報１８１をチェックする。このとき、例えば、ユーザの選択に基づいて、表示制御部１８１の画面デザインの中から、２画面、左右等サイズに対応する「画面デザイン」の情報が取得される。これにより、表示制御部１０１において、例えば、図３に示されるレイアウトでの映像信号の生成の準備がなされる。
【００５３】
ステップS１０３において、補正判定部３０２は、映像の補正が必要か否かを判定する。このとき、例えば、表示部固有情報１８２の「アスペクト比」の情報、表示制御情報１８１の「基準アスペクト比」の情報に基づいて、映像を補正する必要があるか否かが判定される。上述したように、「基準アスペクト比」が１６：９であり、「アスペクト比」（表示部１０２のアスペクト比）が４：３である場合、補正が必要と判定される。一方、「基準アスペクト比」と「アスペクト比」が同一である場合、補正は必要ないと判定される。
【００５４】
ステップS１０３において、補正が必要であると判定された場合、処理は、ステップS１０４に進み、補正実行部３０３は、図６を参照して後述する補正処理を実行する。これにより、元々の映像（ステップS１０２の処理に伴って準備された映像）が補正される。一方、ステップS１０３において、補正は必要ないと判定された場合、ステップS１０４の処理はスキップされる。
【００５５】
ステップS１０４の処理の後、またはステップS１０３において、補正は必要ないと判定された場合、処理は、ステップS１０５に進む。
【００５６】
ステップS１０５において、補正実行部３０３は、ステップS１０４の処理により補正された映像信号、または図示せぬチューナまたはビデオ入力端子などから入力される信号が補正されずに出力される。なお、このとき、例えば、図３を参照して上述した基準点AまたはBの座標位置に基づいて、領域２１１または領域２１２に映像が表示される映像信号が生成されるように信号処理部１２２が制御されることにより、上述した映像信号が出力される。
【００５７】
次に、図６のフローチャートを参照して、図５のステップS１０４の補正処理の詳細について説明する。
【００５８】
ステップS１２１において、補正実行部３０３は、補正ルールを取得する。このとき、表示制御情報１８１の「補正ルール」の情報が取得される。
【００５９】
ステップS１２２において、補正実行部３０３は、ステップS１２１で取得した「補正ルール」の内容をチェックし、補正ルールが「H優先」、「Ｖ優先」、または「補正不要」のいずれであるかを判定する。
【００６０】
ステップＳ１２２において、補正ルールは「H優先」であると判定された場合、処理は、ステップＳ１２３に進み、補正実行部３０３は、信号処理部１２２を制御して「Ｈ優先」に対応する補正を行わせる。これにより、元々の映像（ステップS１０２の処理に伴って準備された映像）が垂直方向に伸張されたり短縮されたりする補正が行われる。
【００６１】
ステップＳ１２２において、補正ルールは「Ｖ優先」であると判定された場合、処理は、ステップＳ１２４に進み、補正実行部３０３は、信号処理部１２２を制御して「Ｖ優先」に対応する補正を行わせる。これにより、元々の映像（ステップS１０２の処理に伴って準備された映像）が水平方向に伸張されたり短縮されたりする補正が行われる。
【００６２】
ステップＳ１２２において、補正ルールは「補正不要」であると判定された場合、補正は行われず、図８の補正処理は終了する。
【００６３】
このようにして、補正が行われる。
【００６４】
以上においては、本発明をテレビジョン受像機に適用した例について説明したが、本発明を汎用のパーソナルコンピュータ５００に適用することも可能である。図７は、パーソナルコンピュータ５００の構成例を示すブロック図である。
【００６５】
図７において、CPU（Central Processing Unit）５０１は、ROM（Read Only Memory）５０２に記憶されているプログラム、または記憶部５０８からRAM（Random Access Memory）５０３にロードされたプログラムに従って各種の処理を実行する。RAM５０３にはまた、CPU５０１が各種の処理を実行する上において必要なデータなども適宜記憶される。
【００６６】
CPU５０１、ROM５０２、およびRAM５０３は、バス５０４を介して相互に接続されている。このバス５０４にはまた、入出力インタフェース５０５も接続されている。
【００６７】
入出力インタフェース５０５には、キーボード、マウスなどよりなる入力部５０６、CRT(Cathode Ray Tube)、ＬＣＤ(Liquid Crystal display)などよりなるディスプレイ、並びにスピーカなどよりなる出力部５０７、ハードディスクなどより構成される記憶部５０８、モデム、LANカードなどのネットワークインタフェースカードなどより構成される通信部５０９が接続されている。通信部５０９は、インターネットを含むネットワークを介しての通信処理を行う。
【００６８】
入出力インタフェース５０５にはまた、必要に応じてドライブ５１０が接続され、磁気ディスク、光ディスク、光磁気ディスク、或いは半導体メモリなどのリムーバブルメディア５１１が適宜装着され、それらから読み出されたコンピュータプログラムが、必要に応じて記憶部５０８にインストールされる。
【００６９】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、インターネットなどのネットワークや、リムーバブルメディア５１１などからなる記録媒体からインストールされる。
【００７０】
なお、この記録媒体は、図７に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア５１１により構成されるものだけでなく、装置本体に予め組み込まれた状態でユーザに配信される、プログラムが記録されているROM５０２や、記憶部５０８に含まれるハードディスクなどで構成されるものも含む。
【００７１】
本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【００７２】
【図１】本発明を適用した表示装置の一実施形態に係る構成例を示す図である。
【図２】図１の表示装置における映像の表示処理の流れを表す図である。
【図３】図１の表示部における表示例を示す図である。
【図４】図１のマイコンにより実行されるソフトウェアに組み込まれる構造体の構成例を示す図である。
【図５】表示制御処理を説明するフローチャートである。
【図６】補正処理を説明するフローチャートである。
【図７】パーソナルコンピュータの構成例を示すブロック図である。
【符号の説明】
【００７３】
１００  表示装置，  １０２  表示部，  １２１  表示制御部，  １２２  信号処理部，  １４１  信号線，  １４２  信号線，  １８１  表示制御情報，  １８２  表示部固有情報，  ３０１  情報取得部，  ３０２  補正判定部，  ３０３  補正実行部
【図１】
2007086614.tif 000003
【図２】
2007086614.tif 000004
【図３】
2007086614.tif 000005
【図４】
2007086614.tif 000006
【図５】
2007086614.tif 000007
【図６】
2007086614.tif 000008
【図７】
2007086614.tif 000009